(57)【要約】【課題】小型化および低コスト化を図ることができるとともに、接続信頼性も確保することができる反射鏡付きランプを提供する。【解決手段】高圧放電ランプ１５０と反射鏡３００とから構成された反射鏡付きランプ２０００である。反射鏡３００は、広開口部３１０と狭開口部３２０とを備えており、高圧放電ランプ１５０の第１の封止部１０１ａは、反射鏡３００の狭開口部３２０付近にて固定されており、そして、第１の封止部１０１ａには口金が取り付けられておらず、高圧放電ランプ１５０の第２の封止部１０１ｂは、反射鏡３００の広開口部３１０側に配置されている。第１の封止部１０１ａの外部リード１０４と、外部引出しリード線２０４ａとは、かしめ部材１０の塑性流動によって接合されている。【選択図】　図２
2004146097.tif 000002
【特許請求の範囲】
【請求項１】
内部に発光物質が封入された発光管と、前記発光管の両端から延在した第１および第２の封止部とを有するダブルエンド型の高圧放電ランプと、
前記高圧放電ランプから発せられる光を反射する反射鏡と
から構成された反射鏡付きランプであって、
前記反射鏡は、出射方向側に設けられた広開口部と、前記高圧放電ランプを固定するための狭開口部とを備えており、
前記高圧放電ランプの前記第１の封止部は、前記反射鏡の前記狭開口部付近にて固定され、かつ、前記第１の封止部には口金が取り付けられておらず、
前記高圧放電ランプの前記第２の封止部は、前記反射鏡の前記広開口部側に配置され、
前記第１の封止部は、前記第１の封止部から外へと延びて露出する外部リードを有しており、
前記第１の封止部における前記外部リードと、外部回路に電気的に接続される外部引出しリード線とは、かしめ部材の塑性流動によって接合されている、反射鏡付きランプ。
【請求項２】
発光物質が封入される管内に一対の電極が対向して配置された発光管と、前記発光管の両端から延在した第１および第２の封止部とを有する高圧放電ランプと、
前記高圧放電ランプから発せられる光を反射する反射鏡と
から構成された反射鏡付きランプであって、
前記反射鏡は、出射方向側に設けられた広開口部と、前記高圧放電ランプを固定するための狭開口部とを備えており、
前記高圧放電ランプの前記第１の封止部は、前記反射鏡の前記狭開口部付近にて固定され、かつ、前記第１の封止部には口金が取り付けられておらず、
前記高圧放電ランプの前記第２の封止部は、前記反射鏡の前記広開口部側に配置され、
前記第１の封止部は、前記一対の電極の一方に電気的に接続された金属箔を封止した構造を有し、そして、当該金属箔には、前記電極が位置する側と反対側に外部リードが接続されており、
前記外部リードの一部は、前記第１の封止部内に位置し、そして、その他の部分は、前記第１の封止部の端面から外へと延びており、
前記第１の封止部における前記外部リードと、外部回路に電気的に接続される外部引出しリード線とは、かしめ部材の塑性流動によって接合されており、
前記かしめ部材の一部は、前記第１の封止部内に埋まっている、反射鏡付きランプ。
【請求項３】
前記かしめ部材は、前記反射鏡の反射面によって規定される空間の外に配置されている、請求項１または２に記載の反射鏡付きランプ。
【請求項４】
前記かしめ部材の周囲は、セメントによって覆われている、請求項１から３の何れか一つに記載の反射鏡付きランプ。
【請求項５】
さらに、前記第１の封止部の一部も前記セメントによって覆われている、請求項４に記載の反射鏡付きランプ。
【請求項６】
前記放電ランプは、封入水銀量１５０ｍｇ／ｃｍ３以上の高圧水銀ランプである、請求項１から５の何れか一つに記載の反射鏡付きランプ。
【請求項７】
請求項１から８の何れか一つに記載の反射鏡付きランプと、前記反射鏡付きランプを保持するランプハウスと、前記反射鏡付きランプを光源とする光学系とを備えた画像投影装置。
【請求項８】
前記反射鏡付きランプにおける前記第１の封止部から延びた前記外部リードの側の端子に、ランプ始動用の高圧パルスが入力される、請求項７に記載の画像投影装置。
【発明の詳細な説明】
【０００１】
【発明の属する技術分野】
本発明は、反射鏡付きランプおよび画像投影装置に関する。特に、液晶プロジェクタ用光源やデジタルマイクロミラーデバイス（ＤＭＤ）プロジェクタなどの画像投影装置用光源として使用される反射鏡付きランプに関する。
【０００２】
【従来の技術】
文字、図形などの画像を拡大投影し表示する手段として、液晶プロジェクタ装置などのような画像表示装置が知られている。このような画像表示装置（または画像投影装置）は、所定の光出力が必要であるため、一般に、輝度の高い高圧放電ランプ（ＨＩＤランプ）を含む反射鏡付きランプが光源として広く使用されている。また、プロジェクタの普及に伴い、より明るく、かつ、より小型のプロジェクタが求められるようになってきている。
【０００３】
図８は、従来のプロジェクタ用の反射鏡付きランプ１０００の断面構成を模式的に示している。図８に示した反射鏡付きランプ１０００は、高圧放電ランプ１１５０と、前面ガラス１３３０が設けられた反射鏡１３００とから構成されている。高圧放電ランプ１１５０は、例えば交流で動作する高圧水銀ランプであり、発光管１１００と、発光管１１００の両端から延在した一対の封止部１１０１とを有している。発光管１１００の内部には、発光物質（水銀）１１５０が封入されており、発光管１１００には、一対の電極１１０２が対向して配置されている。電極１１０２は、封止部１１０１内に位置するモリブデン箔１１０３に接続されており、モリブデン箔１１０３には、外部リード１１０４が接続されている。
この反射鏡１３００付きのランプ１１５０は、ランプハウス１０１３内に収納されており、これらによって、ランプユニット１０００は構成されている。
【０００４】
ランプ１１５０の一方の封止部１１０１には、口金１２００が取り付けられており、口金１２００が反射鏡１３００のネック部１３０６に挿入されて、そこでセメントなどで固着されている。口金１２００は、封止部１１０１の端部から延びた外部リード１１０４と電気的に接続されているので、口金１２００の端部が高圧放電ランプ１１５０の一方の端子ＬＡとなる。また、反射鏡１３００の広開口部側に位置する封止部１１０１から延びた外部リード１１０４も、高圧放電ランプ１１５０のもう一方の端子ＬＢとなる。端子ＬＡおよび端子ＬＢには、それぞれ、外部引き出しリード線（ケーブル）１２０４ａおよび１２０４ｂが溶接により接続されている。外部引き出しリード線１２０４ａおよび１２０４ｂは、ランプユニット１５００の端子となるピン１２５０に接続されている。
【０００５】
図９（ａ）は、図８に示したランプユニット１５００を模式的に示す斜視図であり、図９（ｂ）は、ランプユニット１５００がセットされるプロジェクター本体１６００を一部切り欠いて模式的に示す斜視図である。なお、図８および図９に示した技術は、例えば特許文献１の従来技術の欄に開示されている。
【０００６】
ランプユニット１５００は、図９（ｂ）に示すように、プロジェクター本体１６００に装着される。具体的には、ランプユニット１５００側に設けられたピン１２５０を、本体１６００側にあるプラグ１２５２に挿入した後、蓋１６３０を取り付ければよい。ランプユニット１５００が本体１６００にセットされると、ランプユニット１５００は、本体１６００内に設けられている点灯回路（不図示）に電気的に接続され、点灯回路によって、ランプユニット１５００のランプ１１５０を始動・点灯することが可能となる。
【０００７】
本体１６００内にセットされたときのランプユニット１５００の後方には、冷却用のファン１６１０があり、本体１６００内には、ランプ１１５０を光源とする光学系と、当該光学系を制御して画像を表示するためのシステム（メインシステム）が設けられている。ランプ１１５０から発せられた光は、光学系および投射レンズ１６２０を通って、スクリーン上に投射されて、そこで画像が形成されることになる。
【０００８】
【特許文献１】
特願２００２−６６９５号明細書（第１０図、第１１図）
【０００９】
【発明が解決しようとする課題】
プロジェクターの小型化および低コスト化に伴って、反射鏡付きランプにも小型化および低コスト化が求められており、それゆえ、反射鏡付きランプから口金を取り除く試みが行われている。本願発明者が口金を用いない反射鏡付きランプを試作して動作させてみたところ、種々の問題が生じる又は生じる可能性があることがわかった。本願発明者が試作した口金無しの反射鏡付きランプの構成を模式的に図１に示す。図１（ａ）は、口金無しの反射鏡付きランプ１００１を示しており、図１（ｂ）は、外部リード１１０４と外部引き出しリード線１２０４ａとの接続箇所２０を拡大して示している。
【００１０】
図１（ａ）に示すように、反射鏡付きランプ１００１には、口金が存在しないので、外部引き出しリード線１２０４ａを口金に溶接して接続することはできない。図１（ｂ）に示した例では、Ｎｉ筒（ニッケルスリーブ）１２を介して、外部リード１１０４と外部引き出しリード線１２０４ａとを溶接により接続している。より詳細に述べると、外部リード１１０４の接続箇所２０の外周に接するようにしてＮｉ筒１２挿入した後、外部リード１１０４とＮｉ筒１２とを比較的低温で溶接し、次いで、そのＮｉ筒１２と、例えばＮｉ−Ｍｎ合金からなる外部引出しリード線１２０４ａとを溶接することによって、接続は行われている。このような接続方法を採用する理由は、単に巻き付ける手法や、両者を直接溶接により接続する手法を行うことが難しいからである。
【００１１】
外部リード１１０４に外部引出しリード線１２０４ａを単に巻き付ける手法の場合、両者が溶接されている訳ではないので、外部引出しリード線１２０４ａと外部リード１１０４との間の電気的な接続（電気的な導通）が不完全なものとなる。それゆえ、接続箇所１３１において放電が発生する可能性があり、単に巻き付ける手法は採用し難い。また、外部リード１１０４を構成しているモリブデンは、高温になると再結晶化して脆くなる性質を有しているため、外部リード１１０４と外部引出しリード線１２０４ａとを互いに直接溶接によって接合することは技術的に難しい。したがって、外部リード１１０４と外部引出しリード線１２０４ａとを低温で溶接できる手法、すなわち、Ｎｉ筒を介して溶接する手法を採用するのである。
【００１２】
しかしながら、Ｎｉ筒１２と外部引出しリード線１２０４ａとの溶接は点溶接によって行われるため、接触面積が小さく（ほとんど点接触の状態である）、外部引出しリード線１２０４ａに応力が加わると、外部引出しリード線１２０４ａが接続箇所２０から簡単に外れてしまうという問題が生じる。特に、外部引出しリード線１２０４ａは外部に露出しているがゆえに、何かと応力が加わり易く、外部引出しリード線１２０４ａが取れてしまうことが多くなる。また、外部リード１１０４とＮｉ筒１２との溶接も点溶接によって行われているので、外部に露出しているＮｉ筒１２に応力が加わるとＮｉ筒１２が動いて、溶接が外れてしまうこともある。つまり、接続箇所２０の溶接強度が低いので、組み立て中のハンドリングにより外れることが多くなるという問題がある。
【００１３】
また、図１（ｂ）に示すように、口金が無いがゆえに、外部リード１１０４および／または外部引出しリード線１２０４ａの先端が外部に露出するので、それがアンテナとなり、特に始動時の高圧パルスを印加する際に、強いノイズを出すという問題も明らかとなった。特に、ＤＭＤのようなフルデジタルデバイスを使用したプロジェクターの場合、とりわけノイズなどのダメージに弱いので、このノイズの問題は顕著になる。さらに、線の先端が外部に露出していることにより、ランプの交換時にけがをする可能性が大きい。そのため、ランプ交換を消費者自身では出来ないような工夫をする必要がある。そして、ランプユニットにおいて開口部を小さくして外部から簡単に指などを挿入できない構造にすることも考えなくてはならず、そのような構造は、小型の反射鏡付きランプの場合において特に冷却に不利に働くので、新たな問題を発生させてしまう。
【００１４】
加えて、小型の反射鏡付きランプの場合、ネック部１３０６の温度は上昇し易く、溶接による接続では、酸化が進行しやすく、その結果、寿命が短くなるという問題も生じる。製造技術等の向上によってランプ寿命が例えば２０００時間以上までのばすことができるようになった今日においては、そのような要因は極力排除したい。
【００１５】
本発明はかかる諸点に鑑みてなされたものであり、その主な目的は、小型化および低コスト化を図ることができるとともに、接続信頼性も確保できる反射鏡付きランプを提供することにある。
【００１６】
【課題を解決するための手段】
本発明の反射鏡付きランプは、内部に発光物質が封入された発光管と、前記発光管の両端から延在した第１および第２の封止部とを有するダブルエンド型の高圧放電ランプと、前記高圧放電ランプから発せられる光を反射する反射鏡とから構成された反射鏡付きランプであって、前記反射鏡は、出射方向側に設けられた広開口部と、前記高圧放電ランプを固定するための狭開口部とを備えており、前記高圧放電ランプの前記第１の封止部は、前記反射鏡の前記狭開口部付近にて固定され、かつ、前記第１の封止部には口金が取り付けられておらず、前記高圧放電ランプの前記第２の封止部は、前記反射鏡の前記広開口部側に配置され、前記第１の封止部は、前記第１の封止部から外へと延びて露出する外部リードを有しており、前記第１の封止部における前記外部リードと、外部回路に電気的に接続される外部引出しリード線とは、かしめ部材の塑性流動によって接合されている。
【００１７】
本発明の他の反射鏡付きランプは、発光物質が封入される管内に一対の電極が対向して配置された発光管と、前記発光管の両端から延在した第１および第２の封止部とを有する高圧放電ランプと、前記高圧放電ランプから発せられる光を反射する反射鏡とから構成された反射鏡付きランプであって、前記反射鏡は、出射方向側に設けられた広開口部と、前記高圧放電ランプを固定するための狭開口部とを備えており、前記高圧放電ランプの前記第１の封止部は、前記反射鏡の前記狭開口部付近にて固定され、かつ、前記第１の封止部には口金が取り付けられておらず、前記高圧放電ランプの前記第２の封止部は、前記反射鏡の前記広開口部側に配置され、前記第１の封止部は、前記一対の電極の一方に電気的に接続された金属箔を封止した構造を有し、そして、当該金属箔には、前記電極が位置する側と反対側に外部リードが接続されており、前記外部リードの一部は、前記第１の封止部内に位置し、そして、その他の部分は、前記第１の封止部の端面から外へと延びており、前記第１の封止部における前記外部リードと、外部回路に電気的に接続される外部引出しリード線とは、かしめ部材の塑性流動によって接合されており、前記かしめ部材の一部は、前記第１の封止部内に埋まっている。
【００１８】
ある好適な実施形態において、前記かしめ部材は、前記反射鏡の反射面によって規定される空間の外に配置されている。
【００１９】
前記かしめ部材の周囲は、セメントによって覆われていることが好ましい。
【００２０】
さらに、前記第１の封止部の一部も前記セメントによって覆われていてもよい。
【００２１】
前記放電ランプは、封入水銀量１５０ｍｇ／ｃｍ３以上の高圧水銀ランプであることが好ましい。
【００２２】
本発明の画像投影装置は、上記反射鏡付きランプと、前記反射鏡付きランプを保持するランプハウスと、前記反射鏡付きランプを光源とする光学系とを備えている。
【００２３】
ある好適な実施形態において、前記反射鏡付きランプにおける前記第１の封止部から延びた前記外部リードの側の端子に、ランプ始動用の高圧パルスが入力される。
【００２４】
ある実施形態において、前記光学系は、ＤＭＤを含んでいる。
【００２５】
ある実施形態において、前記高圧放電ランプは、８０Ｗ以上のランプである。また、１５０Ｗ以上の高圧放電ランプであることが好ましい。
【００２６】
ある実施形態において、前記反射鏡の反射面の最大径は、４５ｍｍ以下である。ある実施形態において、前記反射鏡の広開口部には前面ガラスが設けられている。また、ある実施形態において、前記反射鏡と前記前面ガラスとによって囲まれる空間の内容積は、２００ｃｍ３以下であることが好ましい。
【００２７】
ある実施形態では、前記かしめ部材は筒状形状を有している。ある実施形態では、前記一対の外部リードのそれぞれは、モリブデンから構成されており、前記かしめ部材は、前記外部リードを構成するモリブデンよりもやわらかい材料から構成されている。前記かしめ部材は、耐酸化特性に優れた材料から構成されていることが好ましい。
【００２８】
【発明の実施の形態】
以下、図面を参照しながら本発明の実施形態を説明する。以下の図面においては、説明の簡潔化を図るために、実質的に同一の機能を有する構成要素を同一の参照符号で示す。
【００２９】
図２および図３を参照しながら、本発明による実施形態を説明する。図２は、本実施形態の反射鏡付きランプ２０００の構成を模式的に示している。
【００３０】
本実施形態の反射鏡付きランプ２０００は、高圧放電ランプ１５０と、反射鏡３００とから構成されている。本実施形態の高圧放電ランプ１５０は、内部に発光物質（例えば水銀）１０５が封入された発光管（バルブ）１００と、発光管１００の両端から延びた封止部１０１ａ、１０１ｂとを有している。本実施形態の高圧放電ランプ１５０は、ダブルエンド型の高圧水銀ランプであり、交流点灯するものである。
【００３１】
反射鏡３００は、高圧放電ランプ１５０から発せられる光を反射するように構成されている。本実施形態における反射鏡３００は、楕円面鏡タイプのものであり、内面の一部が楕円面体で構成された耐熱性ガラスからなる反射鏡である。なお、図中のＦ１およびＦ２は、焦点である。
【００３２】
反射鏡３００は、出射方向側に設けられた広開口部３１０と、高圧放電ランプ１５０を固定するための狭開口部３２０とを備えており、狭開口部３２０の周囲は、ネック部３０６となっている。高圧放電ランプ１５０の封止部１０１ａ（第１の封止部）は、反射鏡３００の狭開口部３２０付近にて固定されている。高圧放電ランプ１５０の封止部１０１ｂ（第２の封止部）は、反射鏡３００の広開口部３１０側に配置されている。反射鏡３００の一部には、封止部１０１ｂの外部リード１０４に電気的に接続された外部引出しリード線２０４ｂを通すための小さな穴３０３が設けられており、反射鏡３００の外面には、ステンレス製の金具３０２が取り付けられている。この金具３０２に、外部引出しリード線２０４ｂが電気的に接続されている。
【００３３】
本実施形態においては、封止部１０１ａに口金は取り付けられていない。封止部１０１ａは、耐熱性のセメント２０５によって、反射鏡３００のネック部３０６に固定されている。そして、封止部１０１ａの外部リード１０４と、外部引出しリード線２０４ａとは、かしめ部材１０の塑性流動によって接合されている。外部引出しリード線２０４ａは、外部回路（不図示）に電気的に接続されることになる。外部リード１０４は、例えば、モリブデンから構成されており、外部引出しリード線２０４ａ、ｂは、例えばＮｉ−Ｍｎ合金から構成されている。
【００３４】
図３は、接続箇所２０、すなわち、かしめ部材１０の周囲を拡大して示している。なお、かしめ部材１０は、反射鏡３００の反射面によって規定される空間の外に配置されている。
【００３５】
図３に示すように、封止部１０１ａの端部から外へと延びて露出ししている外部リードの露出部分１０４ｅは、かしめ部材１０によって、外部引出しリード線２０４ａと接合されており、言い換えると、かしめ部材１０の外部から応力（図中の矢印）を加えることによって、かしめられている。従って、両者（１０４ｅおよび２０４ａ）の接合は、溶接ではなく、かしめ部材１０の塑性流動によって行われている。かしめ部材１０は、例えば、塑性変形の前は筒状形状を有するスリーブであり、本実施形態では、外部リード１０４の外径よりも大きな内径を有する円筒状のかしめ部材１０が用いられている。
【００３６】
外部リード１０４を構成しているモリブデン自体は塑性変形しにくい材料であるため、かしめ部材１０は、モリブデンよりもやわらかい材料から構成されていることが好ましい。このような材料としては、例えば、Ａｌ、Ｃｕ、Ｎｉなどが挙げられる。さらに、かしめ部材１０が位置する箇所は、電流の接触抵抗やランプからの熱などによって熱くなり易い場所であるため、ランプの信頼性を向上させるためにも耐酸化特性に優れた材料（例えばＡｌなど）から構成されていることが好ましい。
【００３７】
かしめ部材１０は、例えば円筒形をしており、その内径、外径および長さは、例えば、内径１．０〜３．０ｍｍ、外径１．５〜３．０ｍｍ、長さ２．０〜５．０ｍｍである。本実施形態では、外部リード１０４の外径が約０．６ｍｍの場合に、内径が約１．２ｍｍ（厚さ：約０．２ｍｍ）のＡｌから構成された円筒状のかしめ部材（長手方向長さ：約３ｍｍ）４０が用いられている。なお、かしめ部材１０の塑性流動によって接合を行うことができればよいので、本実施形態で用いた円筒状のかしめ部材１０に限らず、例えばＵ字型のかしめ部材や二枚の板状のかしめ部材を用いることも可能である。
【００３８】
本実施形態の放電ランプ１５０では、かしめ部材１０の塑性流動によって外部リード１０４と外部引出しリード線２０４ａとが互いに接合されているので、外部リード１０４と外部引出しリード線２０４ａとを多点接触させて両者を電気的に接続させることができる。このため、口金無しの反射鏡付きランプであっても、外部リード１０４と外部引出しリード線２０４ａとの間の接続信頼性を向上させることができる。すなわち、外部リード１１０４とＮｉ筒１２とが点接触され且つＮｉ筒１２と外部引出しリード線１２０４ａとが点接触されていた図１に示した構成よりも、本実施形態の反射鏡付きランプ２０００の構成の方が、接続箇所２０における機械的強度を高くすることができる。
【００３９】
また、外部リード１０４と外部引出しリード線２０４ａとを多点接触させていることから、図１に示した構成よりも外部リード１０４と外部引出しリード線２０４ａとの間の接触抵抗を小さくすることができる。従って、ランプ動作時における接続箇所２０の温度を低くすることができるため、このことによってもランプの信頼性を向上させることができる。さらに、かしめ部材１０の塑性流動によって外部リード１０４と外部引出しリード線２０４ａとがしっかりと接合されているため、外部引出しリード線を外部リードに単に巻き付ける手法と異なり、外部引出しリード線２０４ａと外部リード１０４との間の電気的な接続（電気的な導通）が不完全となるようなことも生じない。なお、本実施形態の構成ではある程度の接続信頼性が予め確保されているため、溶接による接合の際に行われていた電気的な接続の良否を判定する検査を行わずに製造工程を実行することができる。その結果、製造コストを下げることも可能となる。
【００４０】
さらに、外部リード１０４の先端および外部引出しリード線２０４ａの先端がかしめ部材１０内に位置し、当該先端が露出しないようにすることができる。したがって、当該先端がアンテナとして働くことを抑制することができ、高圧パルスを印加する時に発生するノイズの影響を緩和することが可能となる。特に、画像投影装置における光学系にＤＭＤが含まれている場合、この効果は顕著になる。そして、線の先端が外部に露出してない構成にできることにより、当該先端でけがをすることを防止でき、その結果、けが防止のために冷却に不利な構造にするようなことをしなくてもよくなる。加えて、溶接による接続を用いなくてもよくなるので、外部リード１０４の酸化の問題を緩和することができる。もちろん、口金を用いていないことにより、反射鏡付きランプの小型化および低コスト化も実現される。
【００４１】
本実施形態の反射鏡付きランプ２０００の構成をさらに詳述すると次の通りである。ランプ１５０の発光管１００は、略球形をしており、石英ガラスから構成されている。なお、長寿命等の優れた特性を発揮する高圧水銀ランプ（特に、超高圧水銀ランプ）を実現する上では、発光管１００を構成する石英ガラスとして、アルカリ金属不純物レベルの低い（例えば、アルカリ金属の各種についての質量が１ｐｐｍ以下）高純度の石英ガラスを用いることが好ましい。なお、勿論、通常のアルカリ金属不純物レベルの石英ガラスを用いることも可能である。発光管１００の外径は例えば５ｍｍ〜２０ｍｍ程度であり、発光管１００のガラス厚は例えば１ｍｍ〜５ｍｍ程度である。発光管１００内の放電空間の容積は、例えば０．０１〜１ｃｃ程度（０．０１〜１ｃｍ３）である。本実施形態では、外径９ｍｍ程度、内径４ｍｍ程度、放電空間の容量０．０６ｃｃ程度の発光管１００が用いられる。
【００４２】
発光管１００内には、一対の電極（電極棒）１０２が互いに対向して配置されている。電極１０２の先端は、０．２〜５ｍｍ程度（例えば、０．６〜１．０ｍｍ）の間隔（アーク長）Ｄで、発光管１００内に配置されており、一対の電極１０２のそれぞれは、タングステン（Ｗ）から構成されている。電極１０２の先端には、ランプ動作時における電極先端温度を低下させることを目的として、コイル（例えば、タングステン製のコイル）を巻いておくことが好ましい。
【００４３】
封止部１０１ａ、ｂは、電極１０２に電気的に接続された金属箔１０３と、発光管１００から延ばされたガラス部１０６とを有しており、金属箔１０３とガラス部１０６との箔封止によって発光管１００内の放電空間の気密を保持している。封止部１０１ａ、ｂのガラス部１０６は、例えば石英ガラスから構成されている。金属箔１０３は、例えばモリブデン箔（Ｍｏ箔）であり、例えば矩形の形状を有している。封止部１０１ａ、ｂは、シュリンク手法で作製されている場合、略円形の断面形状を有しており、封止部１０１ａ、ｂの中心部分に金属箔１０３が位置している。
【００４４】
発光管１００内には、発光物質１０５として、水銀が封入されている。超高圧水銀ランプとしてランプ１５０を動作させる場合、水銀は、例えば、１５０ｍｇ／ｃｃ程度またはそれ以上（１５０〜２００ｍｇ／ｃｃまたはそれ以上）の水銀と、５〜３０ｋＰａの希ガス（例えば、アルゴン）と、必要に応じて、少量のハロゲンとが発光管１００内に封入されている。
【００４５】
発光管１００内に封入されるハロゲンは、ランプ動作中に電極１０２から蒸発したＷ（タングステン）を再び電極１０２に戻すハロゲンサイクルの役割を担っており、例えば、臭素である。封入するハロゲンは、単体の形態だけでなく、ハロゲン前駆体の形態（化合物の形態）のものでもよく、本実施形態では、ハロゲンをＣＨ２Ｂｒ２の形態で発光管１００内に導入している。また、本実施形態におけるＣＨ２Ｂｒ２の封入量は、０．００１７〜０．１７ｍｇ／ｃｃ程度であり、これは、ランプ動作時のハロゲン原子密度に換算すると、０．０１〜１μｍｏｌ／ｃｃ程度に相当する。なお、ランプ１５０の耐圧強度（動作圧力）は、１５〜２０ＭＰａまたはそれ以上である。なお、定格電力は、例えば、８０Ｗ以上であり、高出力の特性を顕著にしたい場合、１５０Ｗ（その場合の管壁負荷は、約１３０Ｗ／ｃｍ２に相当）またはそれ以上にすることが好ましい。管壁負荷は、例えば、１３０Ｗ／ｃｍ２程度以上であり、特に上限は設定されない。例示的に示すと、管壁負荷は、例えば、１３０Ｗ／ｃｍ２程度以上から、３００Ｗ／ｃｍ２程度の範囲（好ましくは、１３０〜２００Ｗ／ｃｍ２程度）のランプを実現することができる。なお、冷却手段を設けることによって、３００Ｗ／ｃｍ２程度以上の管壁負荷を達成することも可能である。
【００４６】
反射鏡３００の反射面の最大径は、４５ｍｍ以下、小型の要請をさらに満たす上では、４０ｍｍまたはそれ未満であることが好ましい。また、反射鏡３００の広開口部３１０には前面ガラスを取り付けて、反射鏡３００内を密閉構造にすることもできる。そして、反射鏡３００の内容積は、２００ｃｍ３以下であることが好ましい。本実施形態の反射鏡３００およびその焦点の寸法を例示すると、広開口部３１０の直径φは、約４５ｍｍであり、反射鏡３００の深さＤは約３３ｍｍである。反射鏡３００の最深部から焦点Ｆ１、Ｆ２までの距離は、それぞれ、約８ｍｍおよび約６４ｍｍである。そして、反射鏡３００の容積は、約４００００ｍｍ３、つまり約４０ｃｃである。
【００４７】
なお、楕円面鏡タイプの反射鏡３００に代えて、図４に示すように、内面の一部が放物面体で構成された放物面鏡タイプの反射鏡３０１を用いても良い。また、かしめ部材１０は、図２に示すように、封止部１０１ａの端面に接触させてもよいし、図４に示すように、封止部１０１ａの端面から離すようにしてもよい。
【００４８】
また、図５に示すように、かしめ部材１０の周囲をセメント２０６で覆うことも好ましい。このようにして、かしめ部材１０の周囲をセメントで覆うと、耐熱性を向上させることができる。加えて、接続箇所２０の強度も向上させることができる。
【００４９】
さらに、図６に示すように、かしめ部材１０を封止部１０１ａの内部に埋めるようにしてもよい。このようにすれば、かしめ部材１０を封止部１０１ａによって固定することができ、さらに接続箇所２０の強度を上げることができる。また、かしめ部材１０が封止部１０１ａの内部にまで位置していることから、封止部１０１ａ内に位置する外部リード１０４の保護を図ることもできる。また、封止部１０１ａ内に位置する外部リード１０４の全部を覆うようなかしめ部材１０を用いてもよい。図６に示した構成でも、かしめ部材１０の周囲をセメントで被覆することが可能であり、そのようにすると、耐熱性等を向上させることができる。
【００５０】
図６に示した構成を作製するには、製造工程段階で容易されるガラス管の側管部を封止する際に、当該かしめ部材１０の一部が側管部内に位置するように挿入しておき、その状態で封止工程（シュリンク工程またはピンチング工程）を実行すればよい。
【００５１】
ここで、図２、図３に示した構成および図６に示した構成の接続箇所をそれぞれ、拡大して図７（ａ）および（ｂ）に示す。図７（ａ）は、かしめ部材１０を封止部１０１ａの近傍に配置した構成である。点線で囲んだ範囲（２０６）にセメントを設けると、耐熱性を向上させることができる。上述したように、かしめ部材１０は、封止部１０１ａの端面１０１ｅに接触させてもよい。かしめ部材１０を端面１０１ｅに接触させた構成（図２参照）の場合には、以下に説明する別な効果をより大きくすることができる。その効果とは、かしめ部材１０による熱容量の増大により、いわゆるクリープ現象によって外部リード１０４が破壊されることを防止・緩和できることである。すなわち、ランプをオン・オフすると、それに応じて発生するによって外部リード１０４は膨張・収縮を繰り返すことになるが、かしめ部材１０が設けられていると、外部リードの見かけ上の熱容量が増大するので、その分、膨張・収縮が抑えられ、その結果、クリープ現象に起因した破壊を防ぐことができる。封止部１０１ａから延びて露出し、かしめ部材１０にも覆われない外部リード根本部分１０４ｅ’について、クリープ現象に起因した破壊を防止するには、かしめ部材１０は、封止部１０１ａの端面１０１ｅに接触させる方がよい。同様に、図７（ｂ）に示した構成でも、クリープ現象に起因した破壊を防止する効果が得られる。
【００５２】
次に、口金を取り除くことができた構成によって得られた効果について説明する。上述したように、かしめ部材１０を用いることで、小型化および低コスト化を図ることができるとともに、接続信頼性も確保できる反射鏡付きランプを実現できるのであるが、口金を無くしたことによっても更なる別の効果が得られる。
【００５３】
図８に示した口金有り構成で、端子ＬＡに高圧パルスを印加する場合と、端子ＬＢに高圧パルスを印加する場合では、始動性は端子ＬＢに印加した方が優れたいた。したがって、始動性の観点からは、端子ＬＢに高圧パルスを印加する方が好ましい。ここで、高圧パルスとは、高圧放電ランプの始動用のパルスであり、その電圧は、例えば、１ｋＶ以上であり、典型的なランプに対しては、例えば１０〜１５ｋＶであり、低圧始動型の場合のランプでは５ｋＶ以下（例えば、２〜５ｋＶ）である。
【００５４】
しかし、端子ＬＢへの印加が始動性の観点から好ましいと言っても、端子ＬＡへ印加できる方が設計的には好ましい。すなわち、高圧パルスを印加するためには、安全性を考慮して、ある程度の絶縁距離が必要なところ、端子ＬＢへ印加する場合には、ランプハウスとの距離を考えると、それほど小型化を図ることができない。一方、もし端子ＬＡに印加できれば、その場合には比較的空間があいているので、ランプハウスとの距離を確保しやくなり、その結果、小型化の設計が容易となる。
【００５５】
本願発明者が端子ＬＡに高圧パルスを印加する実験をしてみると、反射鏡１３００で電圧が検出された。反射鏡１３００の電圧値は、なんと、端子ＬＢで検出される値よりも大きいものであった。すなわち、反射鏡１３００に高圧パルスがリークしていることが見出された。それゆえ、端子ＬＡでの始動性が悪かったのであった。反射鏡１３００へのリークの原因を検討していくと、どうやら、金属製の口金１２００と反射鏡１３００との間に寄生容量が形成され、それにより、両者は容量結合を起こして、反射鏡１３００にリークすることがわかった。本実施形態の反射鏡付きランプでは、口金を用いてないので、高圧パルスの反射鏡へのリークを防止することが可能であり、それゆえ、端子ＬＡへの高圧パルスの印加を行うことができる。その結果、より小型化の設計に適した反射鏡付きランプを実現することができ、ランプユニットおよび画像投影装置の小型化も図ることができる。
【００５６】
以上、本発明を好適な実施形態により説明してきたが、こうした記述は限定事項ではなく、勿論、種々の改変が可能である。
【００５７】
なお、上記実施形態では、ランプは高圧水銀ランプを例に説明したが、これは好適例であって、ランプは、キセノンランプであってもよいし、メタルハライドランプ（無水銀メタルハライドランプを含む）であっても構わない。また、上記実施形態では、封入水銀が１５０ｍｇ／ｍｇ３以上の高圧水銀ランプの場合（いわゆる超高圧水銀ランプの場合）について説明したが、それ未満の高圧水銀ランプについても適応可能である。さらに、上記実施形態では、交流点灯型のランプを示したが、それに限定されず、交流点灯型および直流点灯型のいずれの点灯方式でも使用可能である。また、一対の電極１０２間の間隔（アーク長）は、ショートアーク型（例えば、２ｍｍ以下）であってもよいし、それより長い間隔であってもよい。また、ランプ１５０における封止部１０１ｂの外部リード１０４と、外部リード引き出し線２０４ｂとの接続に、かしめ部材を用いてもよい。
【００５８】
上述した実施形態の反射鏡付きランプと、画像素子（ＤＭＤ（Ｄｉｇｉｔａｌ　Ｍｉｃｒｏｍｉｒｒｏ　Ｄｅｖｉｃｅ）パネルや液晶パネルなど）を含む光学系とを組み合わせて、画像投影装置（図９参照）を構成することができ、例えば、ＤＭＤを用いたプロジェクタ（デジタルライトプロセッシング（ＤＬＰ）プロジェクタ）や、液晶プロジェクタ（ＬＣＯＳ（Ｌｉｑｕｉｄ　Ｃｒｙｓｔａｌ　ｏｎ　Ｓｉｌｉｃｏｎ）構造を採用した反射型のプロジェクタも含む。）を提供することができる。また、本実施形態の反射鏡付きランプは、画像投影装置用の光源として好適に使用することができるだけでなく、他の用途にも使用可能である。例えば、紫外線ステッパ用光源、または、競技スタジアム用光源や、自動車のヘッドライト用光源、道路標識を照らす投光器などとしても使用することが可能である。
【００５９】
【発明の効果】
本発明の反射鏡付きランプによれば、反射鏡の狭開口部付近にて固定された第１の封止部に口金が取り付けられておらず、第１の封止部における外部リードと外部引出しリード線とがかしめ部材の塑性流動によって接合されているので、小型化および低コスト化を図ることができるとともに、接続信頼性も確保することができる。
【図面の簡単な説明】
【図１】（ａ）は、口金無しの反射鏡付きランプ１００１の構成を模式的に示す図であり、（ｂ）は、接続箇所２０の拡大図である。
【図２】本発明の実施形態に係る反射鏡付きランプ２０００の構成を模式的に示す図である。
【図３】接続箇所２０の拡大図である。
【図４】本発明の実施形態に係る反射鏡付きランプ２１００の構成を模式的に示す図である。
【図５】本発明の実施形態に係る反射鏡付きランプ２２００の構成を模式的に示す図である。
【図６】本発明の実施形態に係る反射鏡付きランプ２３００の構成を模式的に示す図である。
【図７】（ａ）および（ｂ）は、接続箇所２０の拡大図である。
【図８】従来のランプユニット１５００の構成を模式的に示す図である。
【図９】（ａ）は、従来のランプユニット１５００の構成を模式的に示す斜視図であり、そして、（ｂ）は、従来のプロジェクタ本体１６００の構成を一部切り欠いて模式的に示す斜視図である。
【符号の説明】
１０　　　　かしめ部材
２０　　　　接続箇所
１０１ａ　　封止部
１０１ｂ　　封止部
１０２　　　電極
１０３　　　金属箔（モリブデン箔）
１０４　　　外部リード
１０５　　　発光物質（水銀）
１０６　　　ガラス部
１５０　　　高圧放電ランプ
２０４ａ、ｂ　外部引出しリード線
２０５　　　セメント
２０６　　　セメント
３００　　　　　　反射鏡
３０１　　　反射鏡
３０２　　　金具
３０６　　　ネック部
３１０　　　反射鏡
３２０　　　狭開口部
１０００、１００１　　反射鏡付きランプ
１２００　　口金
１３３０　　前面ガラス
１４００　　ランプハウス（ハウジング）
１５００　　ランプユニット
１６００　　プロジェクタ本体
２０００、２１００、２２００、２３００　　反射鏡付きランプ
【図１】
2004146097.tif 000003
【図２】
2004146097.tif 000004
【図３】
2004146097.tif 000005
【図４】
2004146097.tif 000006
【図５】
2004146097.tif 000007
【図６】
2004146097.tif 000008
【図７】
2004146097.tif 000009
【図８】
2004146097.tif 000010
【図９】
2004146097.tif 000011